(57)【要約】      （修正有）【課題】筆記圧により加圧室が加圧される加圧式筆記具において、筆記具を軸心に対して傾けて筆記した場合でも、加圧室が効率よくスムーズに加圧される加圧式筆記具を提供する。【解決手段】ボールペンレフィル５は、軸筒２内にて撓み変形可能または傾動可能に支持されて、ボールペンチップ１５の先端部１５ａが軸筒の前端から突出した状態で、筆記具用インキ組成物１３の後端に圧力を加える加圧機構６を備え、軸筒内に筒状体３と、筒状体とボールペンレフィルとの間に配置された第一の弾発部材１８を備え、加圧機構は、ボールペンレフィルの後方に内外を連通する空気孔を有するシリンダー２１と、シリンダーに対し前後動可能に配設したピストン２２と、ボールペンレフィルの後部内孔とピストンとの間を連通する加圧室２４と、シリンダーとピストンとの間に第ニの弾発部材１９を備え、第ニの弾発部材の弾発力は、第一の弾発部材の弾発力より大きい。【選択図】図１
2018103542.tif 000002
【特許請求の範囲】
【請求項１】
軸筒内に、筆記具用インキ組成物を充填したインキ収容筒と、該インキ収容筒の前方部にボールペンチップと、を具備したボールペンレフィルを収容してなり、
前記ボールペンチップが前記前端開口部から突出した状態で当該ボールペンチップを後退させることで前記軸筒内に設けた加圧機構を作動させ、前記筆記具用インキ組成物の後端に圧力を加える加圧式筆記具であって、
前記ボールペンレフィルは、前方領域が前記軸筒内において撓み変形可能または傾動可能なように後方領域が当該軸筒内に支持されており、
前記軸筒内に、前記ボールペンレフィルを覆うように配置された筒状体と、前記筒状体の内周面と前記ボールペンレフィルの外周面との間に圧縮状態で配置された第一の弾発部材と、を備え、
前記筒状体は外周面に被押圧部を有しており、
前記軸筒は内周面に押圧部を有しており、  
前記押圧部と前記被押圧部の少なくとも一方は、軸心方向前方または後方に向かって次第に大径となるテーパ面であり、
前記加圧機構は、前記ボールペンレフィルの後方に内外を連通する空気孔を有するシリンダーと、前記シリンダーの後方に当該シリンダーに対し前後動可能に配設したピストンと、前記シリンダーの内方に前記ボールペンレフィルの後部内孔と前記ピストンとの間を連通する加圧室と、前記シリンダーと前記ピストンとの間に圧縮状態で配置された第ニの弾発部材と、を備え、
前記第ニの弾発部材の弾発力は、少なくとも非使用時は前記第一の弾発部材の弾発力より大きく構成し、
前記ボールペンレフィルの前方領域が撓み変形または傾動した際には、前記押圧部により前記被押圧部が当該軸筒に対して軸心方向後方または前方に相対移動することで当該加圧機構が作動して前記加圧室が圧縮され、前記筆記具用インキ組成物の後端に圧力を加えることを特徴とする加圧式筆記具。
【請求項２】
前記第ニの弾発部材の弾発力から前記第一の弾発部材の弾発力を引いた弾発力を、前記加圧式筆記具の自重より大きくしたことを特徴とする請求項１に記載の加圧式筆記具。
【請求項３】
前記軸筒内に、前記筒状体の外面と前記軸筒の内面との間に圧縮状態で配置された第三の弾発部材を備え、
前記第一の弾発部材の弾発力より前記第三の弾発部材の弾発力を大きく構成したことを特徴とする請求項１または２に記載の加圧式筆記具。
【請求項４】
記軸筒内に、前記筒状体に連結され内方に前記加圧機構を配設した後部筒状体を備え、前記後部筒状体は側面に軸径方向に揺動可能な係止部を有しており、
前記係止部は、内方に向かって突出する内突起と、外方に向かって突出する外突起と、を備え、
前記後部筒状体が前進した際、前記外突起が前記軸筒の内面に形成された内段部に当接することで、前記係止部が内方に向かって揺動し、前記内突起と前記加圧機構の外周部とが係止して当該加圧機構を作動させることを特徴とした請求項３に記載の加圧式筆記具。
【請求項５】
前記筆記具用インキ組成物の後端に加える圧力は、大気圧を１０００ｈＰａとした場合、１０００ｈＰａより高く、１５００ｈＰａ以下としたことを特徴とする請求項１ないし４のいずれか１項に記載の加圧式筆記具。
【発明の詳細な説明】
【技術分野】
【０００１】
本発明は、筆記体の先端部が軸筒前端から突出した状態で、筆記具用インキ組成物の後端に圧力を加える加圧式筆記具に関するものである。
【背景技術】
【０００２】
従来から、インキ収容管であるレフィルの後端部に加圧機構が設けられ、例えば、特許５５５８９０８号公報「加圧式筆記具」に開示のように、筆記等によりレフィルに対し後方への押圧力が加わると、シリンダーに対しレフィル及びホルダーが後退し、加圧室が圧縮する構造の加圧式筆記具が知られている。
【先行技術文献】
【特許文献】
【０００３】
【特許文献１】特許５５５８９０８号公報
【発明の概要】
【発明が解決しようとする課題】
【０００４】
しかし、特許文献１の構造では、加圧式筆記具が筆記面に対して垂直に近い状態であるほど筆記時にレフィルが後退しやすく、加圧室が正常に圧縮され、それに伴いレフィル内のインキが加圧されるが、筆記面に対して軸筒を傾けて筆記する場合、傾ける角度が大きくなればなるほどレフィルの軸心方向に掛かる力成分が減少し、レフィルの後退が妨げられることで加圧室が加圧されなくなる問題があった。
【０００５】
本発明は、こうした問題を解決するために発明されたもので、筆記圧により加圧室が加圧される加圧式筆記具において、筆記具を軸心に対して傾けて筆記した場合でも、ボールペンレフィルに掛かる軸径方向の力成分を軸心方向の力成分に変換することにより加圧室が効率よくスムーズに加圧される加圧式筆記具を提供することを目的とする。
【０００６】
本発明は、
「１．軸筒内に、筆記具用インキ組成物を充填したインキ収容筒と、該インキ収容筒の前方部にボールペンチップと、を具備したボールペンレフィルを収容してなり、
前記ボールペンチップが前記前端開口部から突出した状態で当該ボールペンチップを後退させることで前記軸筒内に設けた加圧機構を作動させ、前記筆記具用インキ組成物の後端に圧力を加える加圧式筆記具であって、
前記ボールペンレフィルは、前方領域が前記軸筒内において撓み変形可能または傾動可能なように後方領域が当該軸筒内に支持されており、
前記軸筒内に、前記ボールペンレフィルを覆うように配置された筒状体と、前記筒状体の内周面と前記ボールペンレフィルの外周面との間に圧縮状態で配置された第一の弾発部材と、を備え、
前記筒状体は外周面に被押圧部を有しており、
前記軸筒は内周面に押圧部を有しており、  
前記押圧部と前記被押圧部の少なくとも一方は、軸心方向前方または後方に向かって次第に大径となるテーパ面であり、
前記加圧機構は、前記ボールペンレフィルの後方に内外を連通する空気孔を有するシリンダーと、前記シリンダーの後方に当該シリンダーに対し前後動可能に配設したピストンと、前記シリンダーの内方に前記ボールペンレフィルの後部内孔と前記ピストンとの間を連通する加圧室と、前記シリンダーと前記ピストンとの間に圧縮状態で配置された第ニの弾発部材と、を備え、
前記第ニの弾発部材の弾発力は、少なくとも非使用時は前記第一の弾発部材の弾発力より大きく構成し、
前記ボールペンレフィルの前方領域が撓み変形または傾動した際には、前記押圧部により前記被押圧部が当該軸筒に対して軸心方向後方または前方に相対移動することで当該加圧機構が作動して前記加圧室が圧縮され、前記筆記具用インキ組成物の後端に圧力を加えることを特徴とする加圧式筆記具。
２．前記第ニの弾発部材の弾発力から前記第一の弾発部材の弾発力を引いた弾発力を、前記加圧式筆記具の自重より大きくしたことを特徴とする前記１項に記載の加圧式筆記具。
３．前記軸筒内に、前記筒状体の外面と前記軸筒の内面との間に圧縮状態で配置された第三の弾発部材を備え、
前記第一の弾発部材の弾発力より前記第三の弾発部材の弾発力を大きく構成したことを特徴とする前記１項または２項に記載の加圧式筆記具
４．記軸筒内に、前記筒状体に連結され内方に前記加圧機構を配設した後部筒状体を備え、前記後部筒状体は側面に軸径方向に揺動可能な係止部を有しており、
前記係止部は、内方に向かって突出する内突起と、外方に向かって突出する外突起と、を備え、
前記後部筒状体が前進した際、前記外突起が前記軸筒の内面に形成された内段部に当接することで、前記係止部が内方に向かって揺動し、前記内突起と前記加圧機構の外周部とが係止して当該加圧機構を作動させることを特徴とした前記３項に記載の加圧式筆記具。
５．前記筆記具用インキ組成物の後端に加える圧力は、大気圧を１０００ｈＰａとした場合、１０００ｈＰａより高く、１５００ｈＰａ以下としたことを特徴とする前記１項ないし４項のいずれか１項に記載の加圧式筆記具。」である。
尚、本発明で、「前」とは、ボールペンレフィルのボールペンチップ側を指し、「後」とは、その反対側を指す。また、「内方」とは、軸筒の外周から軸心に向かう方向を指し、「外方」とは、その反対方向を指す。更に、「軸心方向」とは、軸心に沿った方向を指し、「軸径方向」とは、「軸心方向」に対して直交する方向を指す。
【０００７】
本発明によれば、ボールペンレフィルに対して斜めに筆圧が加えられた際に、筆圧の軸心方向の成分によりボールペンレフィルが後退することで加圧機構が作動して加圧室が圧縮され、筆記具用インキ組成物の後端に圧力が加えられる。また、筆圧の軸径方向の成分によって、ボールペンレフィルの前方領域が軸筒内において撓み変形あるいは傾動されると、軸筒内面の押圧部が筒状体の被押圧部を当該軸筒に対して軸心方向前方または後方に相対移動することで加圧機構が作動して加圧室が圧縮され、筆記具用インキ組成物の後端に圧力が加えられる。
このため、ボールペンレフィルに対して斜めに筆圧が掛かった場合でも、筆圧の軸心方向成分及び軸径方向成分の両成分を使用することで効率的にボールペンレフィル内の筆記具用インキ組成物の後端が加圧された状態となり、筆記時に筆記具用インキ組成物の流出量が増えることで、筆跡濃度の向上、筆記時のかすれの防止、ボールペンチップの先端を上向きにして筆記しても空気の巻き込みを防止すること等の効果を奏する。
【０００８】
また、前記軸筒の押圧部と前記筒状体の被押圧部の少なくとも一方に設けるテーパ面は、軸心方向前方または後方に向かって次第に大径になるよう形成されていれば、平面で形成してもよく、曲面で形成してもよく、階段状に形成されていてもよい。また、軸筒の押圧部と筒状体の被押圧部は互いが当接した際に変形しないよう硬い樹脂や金属材料で形成することが好ましい。
尚、軸筒の押圧部と筒状体の被押圧部は、筆圧が掛かった際に滑りやすいよう、互いの当接部の表面粗さを低く形成するこが好ましく、また、当接部に潤滑剤を塗布してもよい。
【０００９】
また、軸筒の押圧部及び筒状体の被押圧部を構成する材料は、樹脂であればＰＰ、ポリカーボネート、アクリル、ポリアセタール、ＡＢＳ、ＰＣ等から選択することができ、更に潤滑性が向上するよう潤滑成分を材料に含有させてもよい。
更に、軸筒の押圧部及び先部材の被押圧部を金属で形成する場合は、切削性から黄銅やアルミが好適に使用でき、潤滑性及び耐久性を向上させるため、表面に潤滑性のある表面処理を施してもよい。潤滑性の表面処理としては、例えば無電解ニッケルメッキ、スズ−コバルトメッキ等のメッキ処理、またはアルマイト等の表面処理から選択することができる。
【００１０】
尚、軸筒の押圧部と筒状体の被押圧部とが当接する両表面部の表面粗さ（平均表面粗さＲａ）は、押圧部が被押圧部と当接したままスムーズに移動するよう６．３μｍ以下が好ましく、１．６μｍ以下がより好ましい。
更に、前記潤滑剤としては、例えばシリコン、グリス、二硫化モリブデン、二硫化タングステン、黒鉛、タルク等が好適に使用できる。
【００１１】
前記加圧機構は、前記ボールペンレフィルの後部内孔にシリンダーの前部、シリンダーの後端開口部内にピストンの前部をそれぞれ装着することが好ましく、この場合、シリンダー及びピストンの装着方向が一致して装着し易くなる効果を奏する。
また、シリンダーは後部に対して前部を縮径して形成することが好ましく、シリンダーの縮径した前部をボールペンレフィルの後部内孔に装着することで、筒状体に収納可能であればインキ収容筒をシリンダーの外径に影響されること無く太く形成できるようになるため、インキ収容筒の容量を増やすことができる。
更に、ボールペンレフィル内が無制限に加圧されるとボールペンチップの先端からのインキ流出量が多くなりすぎることから、シリンダーに対してピストンの前後への移動距離はストッパーを設けて制限することが好ましい。
【００１２】
また、シリンダーの内周面と前記ピストン外周面との間には第ニの弾発部材を圧縮状態で配置するすることで、筆圧が解除された際に加圧機構を加圧状態から非加圧状態に戻すことができ、筆記時に筆記面に微量の凹凸があっても第二の弾発部材が縮むことで振動を吸収できるようになるため筆記感が向上する効果を奏する。
更に、前記第一の弾発部材によりボールペンレフィルを介してシリンダーが後方に弾発され、前記第ニの弾発部材によりシリンダーは前方に弾発されていることから、少なくとも非筆記時は、第ニの弾発部材の弾発力を第一の弾発部材の弾発力より大きく構成することで、前記加圧室が筆記時以外は加圧されない効果を奏する。
尚、本発明における非筆記時とは、ボールペンレフィルに筆圧が掛かっていない状態を指す。
【００１３】
また、非筆記時に加圧式筆記具本体の重量（自重）による荷重がペン先（ボールペンチップの先端部）に掛かった状態（例えばペン立てにボールペンチップを下にして挿した状態）で保管しても、自重では加圧機構が作動してボールペンレフィル内のインキが漏れ出ないよう、第ニの弾発部材の取り付け時の弾発力から第一の弾発部材の弾発力を引いた弾発力を、加圧式筆記具の自重による荷重より大きく設定することが好ましい。
【００１４】
更に、軸筒の押圧部と筒状体の被押圧部とを前方に向かって拡径するよう構成する場合、筒状体と軸筒との間に第三の弾発部材を配して当該筒状体を後方に弾発することで、軸筒の押圧部と筒状体の被押圧部の少なくとも一部とが常に当接するため、ボールペンレフィルに筆圧が掛かった際にペン先ががたつくことを防止し、さらに、筆記動作と略同時に筒状体の被押圧部が軸筒の押圧部に対して前方に相対移動することで加圧機構が作動し、筆記具用インキ組成物の後端が加圧されるため、筆記開始から濃い筆跡での筆記ができる。
尚、前記筒状体は第三の弾発部材により軸筒に対して後方に弾発され、更に第一の弾発部材によりボールペンレフィルに対して前方に弾発されることから、押圧部と被押圧部とが常に当接状態にするためには、第三の弾発部材の弾発力を第一の弾発部材の弾発力より大きく設定することが肝要である。
【００１５】
前記後部筒状体の係止部は、後部筒状態体の側面に軸径方向へ向かって揺動するよう形成されていれば、後部筒状体に一体に形成してもよく、別体で形成してもよい。尚、本発明における揺動とは、係止部が後部筒状体の本体に対して撓み変形または傾動することを含むものとする。
また、前記出没機構によりボールペンレフィルの先端（ボールペンチップ）を軸筒の前端開口部から自由に出し入れできるよう、後部筒状体の係止部はボールペンレフィルに筆圧が掛かったとき以外は加圧機構に係止しないように形成することが好ましい。
更に、ボールペンレフィルが軸筒の前端開口部から突出している状態では、前記係止部が内方に揺動した際、当該係止部と被係止部とがすぐに係止できるように、互いの位置関係が近接状態になるよう構成することが好ましい。
【００１６】
また、後部筒状体の係止部は、外周面に沿って複数形成することが好ましく、ボールペンレフィルに筆圧が掛かった際、当該ボールペンレフィルが傾動することにより前記後部筒状体の軸心と軸筒の軸心との位置関係にずれが生じても、複数の係止部の内、少なくとも１箇所以上の係止部の外突起が前記軸筒の内段部が当接し易くなる効果を奏する。
尚、前記係止部は、加圧式筆記具の回転方向のどこを保持しても係止部の外突起と前記軸筒の内段部とが当接するよう軸周上に等間隔に４箇所以上形成することが好ましく、６箇所以上形成することがより好ましい。
【００１７】
また、前記筆記具用インキ組成物の後端に加える圧力は、大気圧を１０００ｈＰａとした場合、１０００ｈＰａより高く、１５００ｈＰａ以下とすることで、安定したインキ消費量を得られやすく、且つ加圧した状態でのボールペンチップ先端部からのインキ漏れを抑制することができ好ましい。また、筆記具用インキ組成物の後端に加える圧力は、インキ漏れを抑制する効果がさらに高まるため、１２００ｈＰａ以下とすることがより好ましい。
尚、前記筆記具用インキ組成物の後端に加える圧力は、加圧前と加圧後の圧縮空間の体積変化量を測定して計算によって測定することができる。この時、２０℃、大気圧を１０００ｈＰａとして計算を行う。
【００１８】
また、本発明に用いる筆記具用インキ組成物は、油性インキ、水性インキ、剪断減粘性インキなど、特に限定されるもののではないが、筆記状態であっても筆記面から筆記先端が離脱した際（筆圧がかかっていない状態）では非加圧となるため、粘度の比較的低いインキに好適に用いることができ、加圧によるインキ流出量の増加、筆跡濃度の向上を得ることができるため、マイクロカプセル顔料を含有した熱変色性インキや非浸透面に筆記する筆記具に用いることが好ましい。
【００１９】
尚、非浸透面上への筆記は筆記面が極端に平滑であることが多く、筆端部のボール回転に向けた駆動力が生じ難い。そのため、筆記時に筆記具用インキ組成物の後端に加えられた加圧力によって、ボール受け座周辺に潤滑性良好なインキが充たされ回転抵抗を低減すること、更には、平滑な筆記面上に粘度を有したインキが移行することで回転環境が形成できる。
【００２０】
また、前記ボールペンレフィルの単位面積当たりのインキ消費量値が０．７〜１．５ｍｇ／ｃｍ２とすることで、前記した筆跡濃度を得られやすい。さらに、インキ消費量値が０．７〜１．２ｍｇ／ｃｍ２とすることが好ましい。尚、良好な筆跡を得るには、筆跡幅は、ボール径よりも小さくすることが重要であり、加圧状態での筆跡幅としては、ボール径の６５％〜９５％が好ましく、より好ましくは、７０％〜９０％である。
【００２１】
尚、筆跡幅は、前記筆記によって得られた筆跡をＩＳＯ１３６６０に準じて、筆跡幅（ｍｍ）は、反射率の６０％以下の領域の平均値を測定したもので、本願発明における筆跡幅は、パーソナル画質評価装置（QEA（Quality Engineering Associates）社製、ＰＩＡＳ−ＩＩ）によって求めることができる。尚、本発明においては、１５箇所測定し、その平均値によって求めることができる。
【００２２】
また、ボールペンチップとしては、金属製のパイプの先端近傍を外面より内方に押圧変形させたボール抱持部にボールを抱持してなるもの、或いは、金属材料をドリル等による切削加工により形成したボール抱持部にボールを抱持してなるもの、或いは、金属製のパイプや金属材料の切削加工により形成したチップに抱持するボールをコイルスプリングにより前方に付勢させたもの等を適用できる。
【００２３】
また、前記ボールは、超硬合金、ステンレス鋼、ルビー、セラミック等からなる汎用のものが適用でき、直径０．１ｍｍ〜２．０ｍｍ、好ましくは０．２ｍｍ〜１．２ｍｍの範囲のものが好適に用いられる。特に、ボール径が０．５ｍｍ以下の小径のものでは、筆記距離に対するボールの回転数が多く、非浸透面に筆記し難くなることから、本発明がより好適に作用するので、ボール径が０．５ｍｍ以下のボールペンレフィルに使用することが最も効果的である。
【００２４】
前記ボールペンチップの形状も特に限定されるものではないが、チップ本体に、ボール抱持室の底壁の中央に形成したインキ流通孔と、該インキ流通孔から放射状に延びる複数本のインキ流通溝とを有しており、前記ボール抱持室の底壁に、略円弧面状のボール座を設け、前記ボール座にφ０．５ｍｍ以下のボールを載置させ、ボールの一部をチップ先端縁より突出させて回転自在に抱持してなり、前記チップ前端部の内壁に、略円弧面状のシール面を形成するとともに、ボールの縦方向のクリアランスが１５〜４０μｍとすることで、安定した筆跡と、ボール座の磨耗を抑制することができるので好ましい。
【００２５】
これは、前記ボール抱持室の底壁に、略円弧面状のボール座を設けることで、ボールとチップ本体の接触面積が増加するため、座の磨耗が抑制するためと考えられる。但し、ボール座を形成することで、ボール抱持室のボールを除く空間（体積）が減少するため、インキ消費量は減少する傾向となるが、本発明の加圧式筆記具においては、加圧力によってインキを多く吐出することが可能となる。特に、前記ボール座にボール径０．５ｍｍ以下のボールを載置させたボールペンにおいては、ボール座の磨耗が顕著であるため、本発明の効果は顕著であり、ボールの縦方向のクリアランスが１５〜４０μｍ、好ましくは、２０〜３０μｍとすることで、安定した筆跡と、チップ先端からのインキ漏れを抑制することができる。
【００２６】
前記筆記具用インキ組成物を収容するインキ収容筒は、例えば、ポリエチレン、ポリプロピレン、ポリエチレンテレフタレート等の熱可塑性樹脂からなる成形体や、金属材料が用いられ、インキの低蒸発性、生産性の面でポリプロピレンが好適に用いられる。また、加圧状態を維持するため、ＥＶＯＨなどのガスバリア性の材料を、単層や多層、他の材料に積層するなど適宜用いることができる。
【００２７】
更に、筆記具用インキ組成物の後端部にはインキ追従体（液栓）を配することもできる。前記インキ追従体としては、液状または固体のいずれを用いることもでき、前記液状のインキ追従体としては、ポリブテン、α−オレフィンオリゴマー、シリコーン油、精製鉱油等の不揮発性媒体が挙げられ、所望により前記媒体中にシリカ、珪酸アルミニウム、膨潤性雲母、脂肪酸アマイド等を添加することもできる。また、固体のインキ追従体としては樹脂成形物が挙げられる。前記液状及び固体のインキ追従体は併用することも可能である。
【００２８】
また、筆記具用水性インキ組成物は、染料または顔料のどちらを含有してもよいが、顔料を含有することが好ましい。顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミニウム顔料、パール顔料、可逆熱変色性顔料、蛍光顔料、蓄光顔料、熱変色性顔料、補色顔料等が挙げられる。これらの顔料は、単独又は２種以上組み合わせて使用してもかまわない。含有量は、インキ組成物全量に対し、０．１〜２０．０質量％が好ましい。
【００２９】
更に、必要に応じて、水に相溶性のある従来汎用の水溶性有機溶剤を用いることができる。具体的には、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、ジエチレングリコールモノメチルエーテル、ジエチレングリコールモノエチルエーテル、エチレングリコールモノメチルエーテルアセテート、スルフォラン、２−ピロリドン、Ｎ−メチル−２−ピロリドン等が挙げられる。
尚、前記水溶性有機溶剤は一種又は二種以上を併用して用いることができ、２〜６０重量％、好ましくは５〜３５重量％の範囲で用いられる。
【００３０】
更にまた、紙面への定着性や粘性を付与、非浸透面上での筆跡定着性を向上させために水溶性樹脂や樹脂エマルジョンを添加することが好ましい。前記水溶性樹脂としては、アルキッド樹脂、アクリル樹脂、スチレンマレイン酸共重合物、セルロース誘導体、ポリビニルピロリドン、ポリビニルアルコール、デキストリン等が挙げられる。前記樹脂エマルジョンとして、アクリル系樹脂、ウレタン系樹脂、スチレン−ブタジエン系樹脂、ポリエステル系樹脂、酢酸ビニル系樹脂等が挙げられる。前記水溶性樹脂や樹脂エマルジョンは一種又は二種以上を併用することができ、インキ組成中１〜３０重量％の範囲で用いられる。
【００３１】
その他、必要に応じて、炭酸ナトリウム、リン酸ナトリウム、酢酸ソーダ等の無機塩類、水溶性のアミン化合物等の有機塩基性化合物等のｐＨ調整剤、ベンゾトリアゾール、トリルトリアゾール、２，５−ジメルカプト−１，３，４−チアジアゾール、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ノニオン系界面活性剤、ソルビット、マンニット、ショ糖、ぶどう糖、還元デンプン加水分解物、ピロリン酸ナトリウム等の湿潤剤、消泡剤、ノニオン系の界面活性剤を使用してもよい。
【００３２】
更に、アスコルビン酸類、エリソルビン酸類、α−トコフェロール、カテキン類、合成ポリフェノール、コウジ酸、アルキルヒドロキシルアミン、オキシム誘導体、α−グルコシルルチン、α−リポ酸、ホスホン酸塩、ホスフィン酸塩、亜硫酸塩、スルホキシル酸塩、亜ジチオン酸塩、チオ硫酸塩、二酸化チオ尿素等を添加して化学的に気泡を除去することもできる。
【００３３】
また、Ｎ−ビニル−２−ピロリドンのオリゴマー、Ｎ−ビニル−２−ピペリドンのオリゴマー、Ｎ−ビニル−２−ピロリドン、Ｎ−シクロヘキシル−２−ピロリドン、ε−カプロラクタム、Ｎ−ビニル−ε−カプロラクタムのオリゴマー等の増粘抑制剤を添加することで、出没式等、常時、ペン先が露出する形態での機能を高めることもできる。
【００３４】
更に、潤滑剤を使用することができ、例えば、金属石鹸、ポリアルキレングリコール脂肪酸エステル、エチレンオキサイド付加型カチオン活性剤、リン酸エステル系活性剤、β−アラニン型界面活性剤、Ｎ−アシルアミノ酸、Ｎ−アシルメチルタウリン、２，５−ジメルカプト−１，３，４−チアジアゾールやその塩やオリゴマー、３−アミノ−５−メルカプト−１，２，４−トリアゾール、チオカルバミン酸塩、ジメチルジチオカルバミン酸塩、α−リポ酸、Ｎ−アシル−Ｌ−グルタミン酸とＬ−リジンとの縮合物やその塩等が用いられる。
【発明の効果】
【００３５】
本発明は、筆記圧により加圧室が加圧される加圧式筆記具において、筆記具を軸心に対して傾けて筆記した場合でも、ボールペンレフィルに掛かる軸径方向の力成分を軸心方向の力成分に変換することにより加圧室が効率よくスムーズに加圧される加圧式筆記具を提供することができた。
【図面の簡単な説明】
【００３６】
【図１】本実施例の加圧式筆記具の縦断面図である。
【図２】図１の加圧式筆記具の前方領域の拡大縦断面図である。
【図３】図１の加圧式筆記具の加圧機構を示す拡大縦断面図である。
【図４】図１の加圧式筆記具においてボールペンレフィルを軸筒の前端から前方へ突出させた状態の縦断面図である。
【図５】図４のＡ−Ａ断面を示す概略拡大断面図であり、クリップを省略した図である。
【図６】ボールペンレフィルに筆圧が加えられてない場合の図４の加圧式筆記具の前方領域の拡大縦断面図である。
【図７】ボールペンレフィルに筆圧が加えられている場合の図４の加圧式筆記具の前方領域の拡大縦断面図である。
【発明を実施するための形態】
【００３７】
次に図面を参照しながら、本発明の加圧式筆記具を詳細に説明するが、本発明は以下の実施例に限定されるものではない。
【００３８】
実施例１
図１は、本実施例の加圧式筆記具の概略縦断面図であり、図２は図１の加圧式筆記具１の要部拡大図であり、図３は図１の加圧機構６の概略拡大縦断面図であり、図４は図１の加圧式筆記具１においてボールペンレフィル５を軸筒２の前端から前方へ突出させた状態の縦断面図であり、図５は図４のＡ−Ａ断面を示す概略縦断面図（クリップ８は省略）であり、図６は、図４の加圧式筆記具１において、ボールペンレフィル５を筆記面に当接させた状態の縦断面図であり、図７は図６においてボールペンレフィル５に筆圧を掛けた状態を示す縦断面図である。
【００３９】
本実施例の加圧式筆記具１は、図１から図５に示すように、軸筒２と、軸筒２内に前後動可能に配設された筒状体３と、筒状体３に後部に連結された後部筒状体４と、筒状体３に支持され筒状体３内で前後に摺動可能なボールペンレフィル５と、ボールペンレフィル５の後方に配設された加圧機構６と、加圧機構６の後方に配置され軸筒２の後部開口部２ａから後方に向かって突出するノック体７と、軸筒２の側面に回動可能に係止された可動式のクリップ８と、により構成してある。尚、軸筒２は、後軸９と、後軸９の前方領域に着脱自在に固定（螺着）された前軸１０と、前軸１０の前方領域に着脱自在に固定（螺着）された先口１１と、により構成してある。
【００４０】
ボールペンレフィル５は、ＰＰ樹脂からなる透明のインキ収容筒１２に、後述するインキ配合Ａ１で得た筆記具用インキ組成物１３及び当該筆記具用インキ組成物１３の後端にインキの消費に伴い追従するグリース状のインキ追従体１４を直接収容し、インキ収容筒１２の前端開口部に、ボール（φ０．３８ｍｍ）を回転自在に抱持したボールペンチップ１５の後端部を圧入嵌合して得たものである。
【００４１】
前軸１０（軸筒２）は、図２に示すように、前端にボールペンレフィル５のボールペンチップ１５が突出する開口部１０ａが形成されている。また、開口部１０ａには内方に向かって突出する押圧部１０ｂを形成してあり、押圧部１０ｂの先端に曲面加工（Ｒ加工）を施してある。
また、具体的には、前軸１０はポリカーボネート樹脂を射出成形することで形成してあり、押圧部１０ｂの表面粗さ（算術平均粗さＲａ）を０．８μｍ以下に形成してある。
【００４２】
先口１１は、前部にボールペンレフィル５のボールペンチップ１５が前方に突出する前端開口部１１ａを形成してある。また、前端開口部１１ａの内径寸法は、ボールペンレフィル５が軸筒２内で傾動可能になるように、ボールペンチップ１５の外径寸法より大きく形成してある。
【００４３】
筒状体３は、筒状に形成され後方領域に外方に向かって突出する鍔状部１６ａを備えた継手部材１６と、継手部材１６の内段部１６ｂに後段部１７ａを圧入固着した先部材１７と、で構成してある。
【００４４】
また、継手部材１６の鍔状部１６ａと軸筒２の内周突起部２ｂ（内周面）との間には第３コイルスプリング２０（第三の弾発部材）を圧縮状態で張架してあり、第３コイルスプリング２０により筒状体３及び後部筒状体４を軸筒２に対して後方に弾発してある。
【００４５】
先部材１７は、前端外周部に外方に向かって突出する被押圧部１７ｂを形成してあり、被押圧部１７ｂは軸心方向前方に向かって次第に大径となるテーパ面１７ｃを形成してある。
具体的には、先部材１７は黄銅を切削加工し、そのテーパ面１７ｃは軸心に対して４５度の傾斜で拡径する平らな傾斜面で形成してある。また表面を滑りやすくするように、先部材の表面に潤滑性の無電解ニッケルメッキを施し、テーパ面表面の表面粗さ（算術平均粗さＲａ）を０．６μｍ以下に形成した。
【００４６】
尚、筒状体３は、第３コイルスプリング２０によって軸筒２に対して後方に弾発することで、前軸１０（軸筒２）の押圧部１０ｂと先部材１７（筒状体３）の被押圧部１７ｂは常に当接している状態に構成してある。
【００４７】
また、前述したように、筒状体３の内方にはボールペンレフィル５が配設してあり、ボールペンレフィル５の先段部５ａと筒状体３の内周面の前方領域に形成された前段部３ａ（先部材１７の後端）との間に第１コイルスプリング１８（第一の弾発部材）を圧縮状態で張架し、筒状体３に対してボールペンレフィル５を後方に弾発してある。
【００４８】
加圧機構６は、図１〜図３に示すように、ボールペンレフィル５の後方に軸筒２及び後部筒状体４に対して前後動可能に配置した円筒状のシリンダー２１と、シリンダー２１の後端開口部２１ａに挿入されシリンダー２１に対して前後に摺動可能に係着したピストン２２と、ピストン２２の側面に嵌着されたＯリング２３と、シリンダー２１とピストン２２の間に張架した第２コイルスプリング１９（第ニの弾発部材）とで構成してある。
【００４９】
シリンダー２１について詳述すると、シリンダー２１は前後に貫通する段状に形成された内孔２１ｂを有しており、シリンダー２１の外周面には、内孔２１ｂまで貫通する空気孔２１ｃを形成してある。
また、シリンダー２１の内孔２１ｂには、シリンダー２１の内側部２１ｄとピストン２２の前端とＯリング２３とにより囲まれた加圧空間２４（加圧室）が形成され、加圧空間２４は空気孔２１ｃによりシリンダー２１の外部と通気される。
【００５０】
更に、シリンダー２１の前部２１ｅは後部外周部２１ｆより小径で形成されており、前部２１ｅには外方へ向かって突出する装着部２１ｇが円周状に２箇所形成してある。また、ボールペンレフィル５の後端内周部５ｂはシリンダー２１の装着部２１ｇに着脱自在に装着してあり、加圧空間２４はシリンダー２１の内孔２１ｂによりボールペンレフィル５の後部内孔５ｃ（後端開口部）まで連通してある。
尚、装着部２１ｇは、シリンダー２１にボールペンレフィル５を装着した際、シリンダー２１とボールペンレフィル５との間の気密が確保され、且つ、手で簡単に着脱可能になるよう外方への突出量（外径）を調整してある。
具体的には、シリンダー２１へのボールペンレフィル５の取り付け時の掛かる力は２３Ｎであった。
【００５１】
ピストン２２について詳述すると、ピストン２２は、後端部２２ａがノック体７の前端７ａと当接しており、ピストン２２の前部２２ｃは後端部２２ａより小径に形成してある。
また、ピストン２２後端の外周部には被係止部２２ｂが形成してあり、被係止部２２ｂには外方に向かって突出する鍔部２２ｄを形成してある。
【００５２】
また、ピストン２２の側面には外方へ向かって突出する突起部２２ｅが軸心を挟んで対称に２箇所形成してある。そして、突起部２２ｅをシリンダー２１の後部外周部２１ｆに軸心に沿って延びるように形成した窓部２１ｈに、前後方向に摺動自在に嵌着してある。
更に、ピストン２２の前部２２ｃの側面には軸周方向に溝状の溝部２２ｆが形成してあり、溝部２２ｆには合成ゴムで形成したＯリング２３（密閉部材）を嵌着してある。このＯリング２３の外側部はシリンダー２１の内側部２１ｄに摺接しており、シリンダー２１の後端開口部２１ａをピストン２２とＯリング２３とで空気が漏れないように密閉してある。
尚、シリンダー２１が後退した際、シリンダー２１の後端にピストン２１の鍔部２２ｄの前端が当接することで、シリンダー２１の後退を制限し、シリンダー２１内の加圧空間２４の圧縮量を規制してある。
【００５３】
第２コイルスプリング１９（第ニの弾発部材）について詳述すると、第２コイルスプリング１９はシリンダー２１の内方段部２１ｉとピストン２２の前段部２２ｇとの間に張架しあり、ピストン２２に対してシリンダー２１を前方に弾発してある。
【００５４】
尚、加圧空間２４は、シリンダー２１の前後への摺動によりＯリング２３の位置がシリンダー２１の空気孔２１ｃより前方にあるときは密閉状態となり、Ｏリング２３の位置が空気孔２１ｃより後方にあるときは、加圧空間２４とシリンダー２１外部とが空気孔２１ｃにより通気され非密閉状態となる。
【００５５】
後部筒状体４は筒状に形成してあり、図５に示すように、外周面には軸周方向に沿って等間隔に係止部４ａを８箇所形成してある。
また、図２に示すように、前記係止部４ａは軸径方向内方に向かって揺動できるよう片端のみ後部筒状体４の本体部４ｂに接続してある。さらに、係止部４ａの後部内面には内方に向かって突出する内突起４ｃが形成してあり、係止部４ａの後部外面には外方に向かって突出する外突起４ｄが形成してある。
また、筒状体３および筒状体３に螺着された後部筒状体４は、第３コイルスプリング２０により軸筒２に対して後方へ弾発されているが、取付時、前記係止部４ａの外突起４ｄの前端は、軸筒２の内面に形成した内段部２ｃ（前軸１０の後端面）に当接ないし近接するよう部品寸法を調整してある。そして、後部筒状体４が前進した際、すぐに外突起４ｄと内段部２ｃとが当接して、係止部４ａが軸径方向内方に揺動するよう構成してある。
尚、軸筒２の内段部２ｃは軸心方向前方に向かって徐々に縮径する傾斜面として形成してあり、これにより係止部４ａの外突起４ｄは、傾斜面に沿って前進しつつ内方へ揺動される。
【００５６】
また、軸筒２に対して、後部筒状体４、筒状体３及びボールペンレフィル５が傾動できるように、後部筒状体４及び筒状体３と軸筒２の内面との間の隙間部２５を形成してあり、隙間部２５は前方に向かって隙間が大きくなるよう構成してある。
【００５７】
また、クリップ８について詳述すると、クリップ８は図１に示すように、後軸９の後端部の外壁とクリップ８の内壁間にクリップ用スプリング２６を配設することにより、クリップ８の先端部を、後軸９の外壁面側に常時弾発するよう張架してある。そして、クリップ８の後端部を押圧（図１の矢印Ｇ方向）することにより、クリップ８と後軸９との連結部Ｒを支点とし、クリップ８の先端内壁部を後軸９の外壁面から離間可能な可動式クリップとして構成してある。
【００５８】
また、本実施例の加圧式筆記具１は、ボールペンレフィル５の筆記先端であるボールペンチップ１５を先口１１の前端開口部１１ａから出没させる出没機構２７を備えており、出没機構２７は、従来から知られているものである。
具体的には、図１の状態からノック体７を先口１１の前端開口部１１ａ方向に押圧（図１の矢印Ｆ方向）すると、ノック体７の前端７ａに押されたピストン２２が前進する。その際、第２コイルスプリング１９（第ニの弾発部材）の弾発力は、第１コイルスプリング１８（第一の弾発部材）の弾発力より大きく設定してあることから、第２コイルスプリング１９は圧縮されることなく加圧空間２４は非加圧状態のままシリンダー２１と共にボールペンレフィル５が第２コイルスプリング１９により前方に押圧されて前進し、ボールペンレフィル５のボールペンチップ１５の先端部１５ａが先口１１の前端開口部１１ａから突出する。そして、ノック体７の外壁に形成した掛止部７ｂが、後軸９の側面に配置したクリップ８の先端部の被掛止部８ａに掛止することで、ボールペンレフィル５のボールペンチップ１５を、先口１１（軸筒２）の前端開口部１１ａから突出した状態を維持させる図４の状態となる。
ここで、クリップ８の後端部を押圧（図４の矢印Ｇ方向）し、クリップの被掛止部８ａに係止したノック体７の掛止部７ｂの掛止状態を解除すると、第１コイルスプリング１８の弾発力によって、ボールペンレフィル５、シリンダー２１、ピストン２０及びノック体７が後方に移動し、ボールペンチップ１５を先口１１の前端開口部１１ａ内に没入させ、図１の状態に戻る。
【００５９】
次に、第１コイルスプリング１８と第２コイルスプリング１９と第３コイルスプリング２０との取付時の弾発力の関係の説明を行う。
第２コイルスプリング１９（第ニの弾発部材）の弾発力は、第１コイルスプリング１８（第一の弾発部材）の弾発力より大きく設定してあり、非筆記時にボールペンレフィル５のボールペンチップ１５の先端部１５ａに加圧式筆記具１の自重が掛かってもシリンダー２１が後方へ移動して加圧空間２４が加圧されないように、第２コイルスプリング１９の弾発力から第１コイルスプリング１８の弾発力を引いた値が加圧式筆記具１の自重より大きくなるよう設定してある。
【００６０】
また、筒状体３は第３コイルスプリング２０（第三の弾発部材）により軸筒２に対して後方に弾発され、ボールペンレフィル５は第１コイルスプリング１８により筒状体３に対して後方に弾発してあるが、第１コイルスプリング１８の弾発力より第２コイルスプリング１９の弾発力を大きく設定していることから、筒状体３は第１コイルスプリング１８により前方に弾発されることとなる。そして、筒状体３（先部材１７）の被押圧部１７ｂと軸筒２（前軸１０）の押圧部１０ｂとは常に当接することが望ましいため、第１コイルスプリング１８の弾発力より第３コイルスプリング２０の弾発力を大きく設定してある。
尚、第３コイルスプリング２０及び第２コイルスプリング１９の弾発力は、筆記時にすぐに加圧空間２４が加圧されるようになるべく小さく設定することが好ましく、非ノック時は、第１コイルスプリング１８によりボールペンレフィル５及び加圧機構６を先口１１の前端開口部１１ａから軸筒２内に戻す必要があるため、第１コイルスプリング１８の弾発力は少なくともボールペンレフィル５と加圧機構６との自重による荷重の合計よりは大きく設定することが好ましく、安全率を考慮して加圧式筆記具１の自重による荷重より大きく設定することがより好ましい。
【００６１】
このため、第３コイルスプリング２０の弾発力は第１コイルスプリング１８の弾発力よりも大きく、第１コイルスプリング１８の弾発力は加圧式筆記具１の自重による荷重よりも大きく、第２コイルスプリング１９の弾発力は第１コイルスプリング１８の弾発力と加圧式筆記具１の自重による荷重の合計よりも大きく設定した。
具体的には、本実施例の加圧式筆記具１の自重は１８ｇ（荷重０．１８Ｎ）であることから、第３コイルスプリング２０（第三の弾発部材）の取付時の弾発力は０．８Ｎとし、第１コイルスプリング１８（第一の弾発部材）の取り付け時の弾力は０．６Ｎとし、第２コイルスプリング１９（第ニの弾発部材）の取付時の弾発力は１．２Ｎで形成した。
【００６２】
次に、図６及び図７を用いて、本実施例の加圧式筆記具１の筆記動作について説明を行う。
筆記の際、軸筒２は、その軸心に対して鋭角を成す（図６及び図７参照）ように把持されるのが一般的である。このため、ボールペンチップ１５の先端部１５ａには、軸筒２の軸径方向の成分と軸心方向の成分とを含む筆圧が加えられる。本実施例の加圧式筆記具１は、筆記時に図６の状態からボールペンチップ１５の先端部１５ａに筆圧が加えられると、筆圧の軸径方向の成分と軸心方向の成分とにより、シリンダー２１内の加圧空間２４が加圧され、それによりボールペンレフィル５内の筆記具用インキ組成物１３及びインキ追従体１４がボールペンチップ１５側に押圧されることで、ボールペンチップ１５の先端部１５ａからのインキ流出量が増加し、筆記時の筆記濃度が上がり、また、筆記時のかすれを防止することができる。
【００６３】
具体的には、図７に示すように、筆圧の軸径方向の成分によってボールペンレフィル５が傾動し、前軸１０の押圧部１０ｂによって先部材１７（筒状体３）の被押圧部１７ｂに沿って軸心方向前方側に押圧される。
これにより、第３コイルスプリング２０の弾発力に抗して、筒状体３と後部筒状体４とが前方に移動し、後部筒状体４の係止部４ａの外突起４ｄと軸筒２の内段部２ｃとが当接して係止部４ａが軸径方向の内方側へ揺動する。この際、図７のように係止部４ａの内突起４ｃとピストン２２の被係止部２２ｂとが当接することで、後部筒状体４の前進に合わせてピストン２２も第２コイルスプリング１９の弾発力に抗して前方へ移動する。
尚、後部筒状体４の係止部４ａは軸周に沿って等間隔に８箇所形成してあることから、ボールペンレフィル５が傾動する際、後部筒状体４に対して加圧機構６が若干傾いて後部筒状体４の軸心と加圧機構６の軸心とにズレが生じても、８箇所の係止部４ａの内、少なくとも１箇所以上は加圧機構６（ピストン２２）の被係止部２２ｂと近接状態を保てるため、後部筒状体４が前進して係止部４ａが内方に揺動した際、係止部４ａの内方突起４ｃとピストン２２の被係止部２２ｂとがすぐに係止される。
【００６４】
また、これと同時に、筆圧の軸心方向の成分によって、ボールペンレフィル５が軸筒２に対して軸心方向後方に押圧される。そして、第２コイルスプリング１９の弾発力に抗して、ボールペンレフィル５及びボールペンレフィル５が装着されたシリンダー２１が軸筒２に対して後方に相対移動される。
【００６５】
すなわち、筆記時にボールペンレフィル５に筆圧が加えられると、筆圧の軸径方向の成分と軸心方向の成分とにより、先ず、ピストン２２が前方に移動し、同時にシリンダー２１が後方に移動することで前後両方向から第２コイルスプリング１９が圧縮される。そして、シリンダー２１の空気孔２１ｃがＯリング２３の位置より相対的に後方へ移動し、加圧空間２４はシリンダー２１の内側部２１ｄにＯリング２３が摺接していることから密閉される。更に、シリンダー２１が後方へ移動すると共にピストン２２が前方に移動すると、加圧空間２４が圧縮され、ボールペンレフィル５内の筆記用インキ組成物１１の後端に配設したインキ追従体１４の後端に圧力が加えられた状態となる。
【００６６】
また、筆圧を解除（非筆記時）すると、第３コイルスプリング２０及び第２コイルスプリング１９の弾発力により、シリンダー２１及びボールペンレフィル５が軸心方向前方（元の位置）に押し戻され、ピストン２２は後方に戻される。その際、シリンダー２１の空気孔２１ｃの位置がＯリング２３まで達すると、空気孔２１ｃが開放されて加圧空間２４及びボールペンレフィル５の後部内孔５ｃの密閉を解除し、加圧空間２４は減圧されて大気圧と同圧になり図４の非加圧状態に戻る。
本実施例では、筆記時において、筆記具用インキ組成物１３の後端にインキ追従体１４を介して加えた最大圧力は１１００ｈＰａであった。
【００６７】
尚、インキ配合Ａ１は、色材として顔料であるピグメントブラック７、溶剤として水と、顔料分散機能と筆跡定着性能を兼備した水溶性樹脂としてアクリル系樹脂（商品名ＨＰＤ−９６  ジョンソンポリマー株式会社製）を採用し、各成分を所定量正確に秤量し、ボールミルで顔料を均一に分散させた顔料分散体を得た。次いで、ｐＨ調整剤であるトリエタノールアミン、防錆潤滑剤として燐酸エステル界面活性剤である商品名プライサーフＡ−２０８Ｓ（第一工業製薬株式会社製）、筆跡の定着性向上剤としてアルリルエマルジョンである商品名ジョンクリル７００１（ジョンソンポリマー株式会社製）、非浸透面上への濡れ性向上剤として水溶性変性シリコーンオイルである商品名ＫＦ−６１８（信越化学工業株式会社）、防菌剤として１，２−ベンゾイソチアゾリン−３−オンを所定量正確に秤量し、ディスパー撹拌機にて５０℃の攪拌温度で１時間加温撹拌した後、液温が３０℃になるまで徐々に冷却した。更に、その均一混合液体をディスパーで撹拌しながら、２０℃の蒸気圧が４．３ｋＰａであるイソプロピルアルコールを所定量徐々に添加して３０℃の温度で２０分間撹拌することにより筆跡、外観共に黒色の水性ボールペン用インキを得た。尚、商品名ＨＰＤ−９６、ジョンクリル７００１については、それぞれの有効固形分量を勘案してインキ設計した。また、２０℃でのインキ粘度を５ｍＰａ・ｓとした。
【００６８】
また、インキ粘度は、トキメック製  Ｂ８Ｍ型粘度計を用い、ＢＬローターの回転速度１２ｒｐｍにおける粘度を２０℃の環境下で測定した。
【００６９】
尚、本実施例は、便宜上、後端ノック操作により、ボールペンレフィル５の筆記先端であるボールペンチップ１５を先口１１（軸筒２）の前端開口部１１ａから出没させる機構の加圧式筆記具を例示しているが、ノック式、スライド式、回転式等、特に限定されるものではない。また、少なくとも１本のボールペンレフィルが軸筒内に収容される構成であればよく、例えば、複数本のボールペンレフィルが軸筒内に収容される構成であってもよい。
【００７０】
尚、本実施例では、筆圧が掛かった時のみ筆記具用インキ組成物１３に加圧が掛かるように構成してあるため、インキ収容筒１２内の筆記具用インキ組成物１３がボールペンチップ１５の先端部１５ａから漏れ出すことはない。
また、軸筒２を筆記面に対して斜めに把持して筆記しても、筆圧の軸径方向の成分と軸心方向の成分とによりボールペンレフィル５内の筆記具用インキ組成物１３を効率よく加圧することができ、単位時間当たりのインキ流出量を増大させ、筆記時の筆記濃度を濃くさせ、筆記時のかすれを防止することができた。
更に、筆圧が掛かった際、筆圧の軸径方向の成分によりピストン２２が後方から押圧されて加圧空間が加圧されるため、ボールペンレフィル５の後退量が最小限で済む。このため、筆記時にボールペンレフィル５が後退することで発生する違和感を減らことができ筆記感が向上した。
更にまた、軸筒２（前軸１０）の押圧部１０ｂと筒状体３（先部材１７）の被押圧部１７ｂの少なくとも一部とが常に当接するよう構成することで、ボールペンレフィル５に筆圧が掛かった際にボールペンチップ１５の先端部１５ａががたつくことを防止し、筆記動作と略同時にシリンダー２１の加圧室が加圧されるため筆記開始から濃い筆跡での筆記ができるものとなった。
また、本発明は筆記時のみ加圧する方式とすることにより、本来筆記し難い非浸透面への筆記を確実にできるものとなった。
【産業上の利用可能性】
【００７１】
本発明の加圧式筆記具は、様々なインキ、単式、複式など加圧式筆記具として広く利用可能である。
【符号の説明】
【００７２】
１…加圧式筆記具、
２…軸筒、２ａ…後部開口部、２ｂ…内周突起部、２ｃ…内段部、
３…筒状体、３ａ…前段部、
４…後部筒状体、４ａ…係止部、４ｂ…本体部、４ｃ…内突起、４ｄ…外突起、
５…ボールペンレフィル、５ａ…先段部、５ｂ…後端内周部、５ｃ…後部内孔、
６…加圧機構、
７…ノック体、７ａ…前端、７ｂ…掛止部、
８…クリップ、８ａ…被掛止部、
９…後軸、
１０…前軸、１０ａ…開口部、１０ｂ…押圧部、
１１…先口、１１ａ…前端開口部、
１２…インキ収容筒、
１３…筆記具用インキ組成物、
１４…インキ追従体、
１５…ボールペンチップ、１５ａ…先端部、
１６…継手部材、１６ａ…鍔状部、１６ｂ…内段部
１７…先部材、１７ａ…後段部、１７ｂ…被押圧部、１７ｃ…テーパ面、
１８…第１コイルスプリング（第一の弾発部材）、
１９…第２コイルスプリング（第二の弾発部材）、
２０…第３コイルスプリング（第三の弾発部材）、
２１…シリンダー、２１ａ…後端開口部、２１ｂ…内孔、２１ｃ…空気孔、
２１ｄ…内側部、２１ｅ…前部、２１ｆ…後部外周部、２１ｇ…装着部、
２１ｈ…窓部、２１ｉ…内方段部、
２２…ピストン、２２ａ…後端部、２２ｂ…被係止部、２２ｃ…前部、２２ｄ…鍔部、
２２ｅ…突起部、２２ｆ…溝部、２２ｇ…前段部、
２３…Ｏリング、
２４…加圧空間（加圧室）、
２５…隙間部、
２６…クリップ用スプリング、
２７…出没機構、
Ａ１…インキ配合、
Ｒ…連結部。
【図１】
2018103542.tif 000003
【図２】
2018103542.tif 000004
【図３】
2018103542.tif 000005
【図４】
2018103542.tif 000006
【図５】
2018103542.tif 000007
【図６】
2018103542.tif 000008
【図７】
2018103542.tif 000009